(57)【要約】【課題】小スペースで天井パネルを取り付けることができて、形状を自在に変えることができるユニットルーム構造を提供する。【解決手段】ユニットルーム２が床材と、壁パネル４と、天井パネル１とで構成されていて、天井パネル１は略台形の断面形状を有した複数本の短冊状部材５が、その長手方向の辺で互いに連結され、全体として巻き取ることのできるものであって、天井パネル１は壁パネル４と接続される壁パネル用連結部材６を備えており、ユニットルーム２の天井部分に広げられた天井パネル１における壁パネル用連結部材６と壁パネル４とが連結されて、天井パネル１が取り付けられていることを特徴とするユニットルーム構造。【選択図】  図１
2005290932.tif 000002
【特許請求の範囲】
【請求項１】
ユニットルームが床材と、壁パネルと、天井パネルとで構成されていて、
前記天井パネルは略台形の断面形状を有した複数本の短冊状部材が、その長手方向の辺で互いに連結され、全体として巻き取ることのできるものであって、
前記天井パネルは前記壁パネルと接続される壁パネル用連結部材を備えており、
前記ユニットルームの天井部分に広げられた前記天井パネルの前記壁パネル用連結部材と前記壁パネルとが連結されて、前記天井パネルが取り付けられていることを特徴とするユニットルーム構造。
【請求項２】
前記天井パネルの一部分が折り曲げられて、前記壁パネル用連結部材と前記壁パネルとが連結され、
前記天井パネルが前記ユニットルームの天井部分に取り付けられていることを特徴とする請求項１記載のユニットルーム構造。
【発明の詳細な説明】
【技術分野】
【０００１】
本発明はユニットルーム構造に関するものである。
【背景技術】
【０００２】
従来、ユニットバスルーム等の比較的狭いユニットルームに、天井パネルを取り付ける場合には、天井パネルはユニットルーム内に一度搬入してから持ち上げて取り付けられる。しかし、天井パネルは一枚板で構成されていたため、狭いユニットルーム内での天井パネルの取り付け作業は困難なものであった。そこで揺動自在に連結させた二枚組みの天井パネルを、折りたたんだ状態でユニットルーム内に搬入し、天井に広げて設置するといったユニットルーム構造が用いられていた（例えば、特許文献１参照。）。
【特許文献１】特開２０００−１７９２１７号公報
【発明の開示】
【発明が解決しようとする課題】
【０００３】
しかし、特許文献１のものには次のような課題がある。
【０００４】
ユニットルームとしては様々な形態が存在するが、ユニットバスルーム等のように内部空間の狭いものにおける施工においては、使用する部材がコンパクトになるほど施工がし易くなる。天井パネルをユニットルームの天井部分に取り付ける場合、天井部分の上方に梁等が備えられていると、特許文献１のような折りたたみ式の天井パネルでは、天井パネルを天井部分に配置し、折りたたまれた天井パネルを上方に広げようとすると梁が邪魔になって、広げようとした天井パネルが梁にぶつかってしまい施工が困難になる。さらに、施工現場で天井の形状を自由に形成したい場合、特許文献１のような板状の天井パネルが連結されているものであると、天井パネルにおける折りたたまれた板同士の連結部でのみしか折り曲げることができなくて、天井の形状形成において十分に自由が利かないといったことがある。
【０００５】
本発明は上記課題に鑑みて成したもので、その目的は小スペースで天井パネルを取り付けることができて、形状を自在に変えることができるユニットルーム構造を提供することにある。
【課題を解決するための手段】
【０００６】
請求項１に係る発明のユニットルーム構造は、ユニットルームが床材と、壁パネルと、天井パネルとで構成されていて、前記天井パネルは略台形の断面形状を有した複数本の短冊状部材が、その長手方向の辺で互いに連結され、全体として巻き取ることのできるものであって、前記天井パネルは前記壁パネルと接続される壁パネル用連結部材を備えており、前記ユニットルームの天井部分に広げられた前記天井パネルの前記壁パネル用連結部材と前記壁パネルとが連結されて、前記天井パネルが取り付けられていることを特徴とする。
【０００７】
請求項２に係る発明のユニットルーム構造は、請求項１記載のユニットルーム構造において、前記天井パネルの一部分が折り曲げられて、前記壁パネル用連結部材と前記壁パネルとが連結され、前記天井パネルが前記ユニットルームの天井部分に取り付けられていることを特徴とする。
【発明の効果】
【０００８】
請求項１に係る発明のユニットルーム構造によれば、天井パネルが巻き上げ可能となっていることにより、小スペースでの天井部分の施工ができる。また、天井の形状を変えることができる自由度が高い。
【０００９】
請求項２に係る発明のユニットルーム構造によれば、天井パネルの一部を比較的自由度が高く折り曲げることができるため、従来よりも簡易に織り上げ調等のデザイン性に優れた天井を形成することができる。
【発明を実施するための最良の形態】
【００１０】
以下、本発明を実施形態に基づいて説明する。
【００１１】
（実施形態１）
図１は本発明の天井パネル１の取り付け状態を示した断面図である。また、図２はユニットルーム組み立て後の断面図である。
【００１２】
図２に例示したように、組み立て式のユニットバスルーム２においては、バス３をユニットバスルーム２設置床面に設置し、その後、壁パネル４をユニットバスルーム２となる空間を取り囲んで設置する。次いで、天井パネル１を設置する。
【００１３】
図１に例示したように、天井パネル１は、断面形状が台形である複数本の短冊状部材５が連結されて一枚のシート状に構成される。
【００１４】
短冊状部材５の断面形状としては、上辺５ａが底辺５ｂよりも短く、側辺５ｃが上辺５ａ、底辺５ｂに対して傾斜を持っている台形ような形状を有している。ここで、短冊状部材５の上辺５ａとは短冊状部材５におけるユニットバスルーム２の外表面側になる面のことをいい、底辺５ｂとは短冊状部材５におけるユニットバスルーム２の内表面側になる面のことをいう。また、側辺５ｃとは上辺と底辺とをつなぐ二辺のことをいう。短冊状部材５における側辺５ｃの底辺５ｂとの傾斜角が小さくなればなるほど上辺５ａの長さは短くなり、断面形状全体として見ても上辺５ａに向けて鋭く尖るようになってくる。つまり側辺５ｃの底辺５ｂとの傾斜角を小さくすれば、短冊状部材５同士を連結した時に、短冊状部材５同士を曲げることのできる度合いが大きくなる。本発明の場合は、短冊状部材５がシート状の天井パネル１全体において、少なくとも巻き込み方向の両側辺が巻き込んだ時に接するか、それ以上に何重にも巻き込むことのできるような側辺５ｃと底辺５ｂとの傾斜角が設けられていればよい。
【００１５】
短冊状部材５の長手方向の長さとしては、ユニットバスルーム２の天井部分の幅に合わせて、ユニットバスルーム２に隙間ができないように任意に決定すればよい。
【００１６】
短冊状部材５の材質としては、例えば発砲プラスチック等の軽量で、かつ硬質なものを用いるのが好ましい。
【００１７】
さらに、短冊状部材５の底面５ｂ側には壁パネル用連結部材６が取り付けられており、ネジ等の公知の取り付け手段を用いて、天井パネル１と壁パネル４とが連結される。壁パネル用連結部材６は金属製の一枚の板材であって、取り付け面は取り付ける壁パネル４と略平行であればよい。平板状の壁パネル用連結部材６の中心部にはネジを通すためのネジ穴７が開けられている。短冊状部材５と壁パネル用連結部材６とはネジ等の公知の取り付け手段を用いて取り付けられる。
【００１８】
図１に例示したように、短冊状部材５同士の連結方法としては、短冊状部材５の台形の上辺５ａと底辺５ｂとの向きを同じに揃えて配置し、短冊状部材５の長手方向の辺同士を互いに連結するのであるが、この時、別部材の蝶番等の連結部材を用いてそれぞれ連結するのがよい。また、連結部材としては軟質のシート材を用いて、接着剤等の公知の取り付け手段を用いて短冊状部材５同士を連結してもよい。この場合、簡易に天井パネル１を構成することができる。さらに、短冊状部材５の連結部分の見た目がすっきりする。
【００１９】
ここで、天井パネル１と壁パネル４との連結方法について図１、図３および図４を用いて説明する。図３は天井パネル１と壁パネル４との接続部分を示した斜視図であり、図４はユニットバスルーム２上方からみた鳥瞰的な図であって、天井パネル１が完全に取り付けられるまでの工程図である。
【００２０】
まず図４（ａ）に例示したように、巻き込まれた天井パネル１をユニットバスルーム２天井部分に取り込む。
【００２１】
次いで、図４（ｂ）に例示したように、天井パネル１の巻き込むことのできる方向にあたる一側端を壁パネル４と接続させる。接続方法としてはまず図１のように、巻き込まれた天井パネル１の端部を天井部分の端に位置合わせをして配置する。次いで、図３に例示したように、天井パネル１における巻き込み方向の端部と壁パネル４とを接続させる。この時、例えばＬ字型断面の金属棒等の接続部材８を用いて接続する。壁パネル４の上端部には、板材であって壁パネル４と略平行に突出させた接続部材補助材９が取り付けられている。接続部材補助材９のユニットバスルーム２外面側の面とＬ字型の接続部材８の内面を接触させて、ビス等の公知の取り付け手段を利用してユニットバスルーム２の内面側から接続部材８と接続部材補助材９とを取り付ける。その後、Ｌ字型の接続部材８の外面における床面と略水平になった面に、天井パネル１の短冊状部材５の底面を接触させて、短冊状部材５の上面からビス等の公知の取り付け手段を利用して天井パネル１と接続部材８とが留め付けられる。以上のように取り付けられた構造としては、ユニットバスルーム２下面側から順番に、壁パネル４、接続部材補助材９、接続部材８、天井パネル１の順番で取り付けられる。この時、接続部材補助材９と、接続部材８または天井パネル１との間には板状の接続部材補助材９が壁パネル４と略垂直に突設されているために隙間１０が出来てしまう。該隙間１０にはゴム等の柔らかい材質のものを押し込んで隙間１０を塞ぐとよい。すると、ユニットバスルーム２内面側から隙間が見えることがなくなって見た目がすっきりとする。さらに、天井パネル１と壁パネル４との接続部を補強する役割も果たす。
【００２２】
次いで、図４（ｃ）に例示したように、巻き込まれている天井パネル１を床面と略水平方向に広げていく。この時、天井パネル１の巻き込むことのできない方向にあたる両側端に設けられた壁パネル用連結部材６を、天井パネル１を広げるのと同時進行で徐々に壁パネル４と連結していく。
【００２３】
最後に図４（ｄ）に例示したように、天井パネル１を床面と略水平方向に広げていき、完全にユニットバスルーム２が天井パネル１で覆われた時に、図４（ｂ）で示した方法と同じ方法で、天井パネル１の巻き込むことのできる方向にあたる他側端を壁パネル４と取り付ける。
【００２４】
以上の如くユニットバスルーム構造が完成するのである。しかし、天井パネル１の取り付け工程における、天井パネル１の巻き込むことのできる方向にあたる両端と壁パネル４との接続方法、および壁パネル用連結部材６と壁パネル４との取り付け順番等は本実施形態にとらわれることなく、施工現場の状況に合わせて取り付けやすい順番で施工を行えばよい。
【００２５】
（実施形態２）
図５は本発明の他の実施形態を示した断面図である。実施形態１と同形状の天井パネル１を用いて、ユニットバスルーム２の天井構造を形成する。この時、図４（ｃ）の天井パネル１の取り付け過程において、天井パネル１の巻き込むことのできる方向にあたる両側端近傍の任意の二箇所で、天井パネル１を折り曲げて壁パネル４に取り付ける。つまり、短冊状部材５同士の連結部分で折り曲げられて取り付けられることになる。例えば、織り上げ調の天井構造を形成したい場合には、天井パネル１と壁パネル４との接続部分付近の天井パネル１をユニットバスルーム２内部側に折り曲げることで、安価に織り上げ調の天井構造を形成することができる。ユニットバスルーム２の天井部分が完全に天井パネル１で覆われていて、天井パネル１が壁パネル４としっかりと連結固定されていて、ユニットバスルーム２を使用する際に、使用の支障になることがなければ天井パネル１の折り曲げ方向、折り曲げ度合いは任意に決めてよい。
【図面の簡単な説明】
【００２６】
【図１】本発明のユニットルーム構造を示した断面図である。
【図２】本発明が適用されたユニットルームの断面図である。
【図３】本発明の天井パネルと壁パネルとの連結部を示した斜視図である。
【図４】本発明のユニットルーム構造の施工過程を示した工程図である。
【図５】本発明の他の実施形態を示した断面図である。
【符号の説明】
【００２７】
１．天井パネル
２．ユニット（バス）ルーム
３．バス
４．壁パネル
５．短冊状部材
５ａ．上辺
５ｂ．底辺
５ｃ．側辺
６．壁パネル用連結部材
７．ネジ穴
８．接続部材
９．接続部材補助材
１０．隙間
【図１】
2005290932.tif 000003
【図２】
2005290932.tif 000004
【図３】
2005290932.tif 000005
【図４】
2005290932.tif 000006
【図５】
2005290932.tif 000007